(57)【要約】      （修正有）【課題】テレスコピックフォーク装置において、低速度時に必要なリークフロー機能を、圧縮／伸縮の両方向に他方向に影響を及ぼさないようにしつつ、従来の構成要素と著しく変える事無く実現する。【解決手段】テレスコピックフォークレッグに設けられた減衰装置は、筒状の同軸に配置されたユニットを含む。第１の外筒部品に属するピストンが、筒状ユニット内部の室で動作し、内部の媒体は選定された値を上回るピストン速度時にピストンの頂部側および底部側間で減衰作用部材の上かまたは傍らの通路を通じて移動する。通路は前記値を下回るピストン速度時に減衰作用部材によって閉鎖され、媒体は、ピストンの一方側の室から内部筒状ユニットの外側と内部ユニットの外側に配置された第２の筒状ユニットの内部との間の隙間および１つ以上のリークフローサイズ決定部材を経てピストンの他方側の室へ戻る１つ以上のリークフロー経路を通じてのみ伝えられる。【選択図】図１Ｂ
2005271913.tif 000002
【特許請求の範囲】
【請求項１】
相互に変位可能な内筒および外筒部品（１、９）ならびに筒部品の相対運動を減衰するための減衰装置を備え、減衰装置は、筒状の同軸に配置されたユニット（２、９）および、第１の外筒部品（１）に属しており、筒状ユニットの内部内の室において室に存在する媒体中で動作するように構成されているピストン（８）を含んでおり、媒体は、特定の値を上回るピストン速度に依存して、ピストンの頂部側および底部側（８ｄ、８ｅ）の間で、ピストンおよび、例えばシムといった減衰作用部材（８ｂ、８ｃ）の内か、上かまたは傍らに配置された通路（８ａ’、８ａ”）を通過するものであり、例えば０をわずかに超え約０．１メートル／秒までのピストン速度といった、前記値を下回るピストン速度時に、ピストンの一方側の前記室（２０’または２０”）から、内部筒状ユニット（９）の外側と内部ユニット（９）の外側に配置された第２のユニット（２）の内部との間の隙間、および１つ以上のリークフローサイズ決定部材（１４、１６）を経て、ピストンの他方側の室へ戻り到る、リークフロー通路またはリークフロー経路が存在することと、部材が調整可能であるように構成されていることとを特徴とする、車両、好ましくは自動二輪車のためのテレスコピックフォークレッグ。
【請求項２】
筒部品の圧縮の方向で、第１のリークフロー経路が、第１の一方向弁機能（１３）および第１のリークフロー決定第１部材（１４）によって確立可能であることを特徴とする、請求項１記載のテレスコピックフォークレッグ。
【請求項３】
筒部品の伸張の方向で、第２のリークフロー経路が、第２の一方向弁機能（１５）および第２のリークフロー決定第２部材（１６）によって確立可能であることを特徴とする、請求項１または２に記載のテレスコピックフォークレッグ。
【請求項４】
第１および第２のリークフロー経路が、互いに影響を相互に及ぼすのを防ぐように構成されていることを特徴とする、請求項２または３に記載のテレスコピックフォークレッグ。
【請求項５】
それぞれのリークフローサイズ決定部材（１４、１６）は、レッグの外部から調整可能であるように構成されている調整可能ブリードニードル機能が設けられていることを特徴とする、請求項１〜４のいずれかに記載のテレスコピックフォークレッグ。
【請求項６】
それぞれのブリードニードル機能がレッグの一端でフレーム部品または構造部品に配置されていること、および／または、ブリードニードル機能の一部を成すブリードニードル形成部がレッグの主縦方向にほぼ平行または垂直に延びていることを特徴とする、請求項５記載のテレスコピックフォークレッグ。
【請求項７】
内筒部品がまた、減衰装置において前記筒状の第２のユニット（２）として機能することによって強度確立およびリークフロー誘導機能の両方を伴い動作することを特徴とする、上記請求項のいずれかに記載のテレスコピックフォークレッグ。
【請求項８】
テレスコピック機能が２つのテレスコープ式に構成され相互に変位可能な筒部品（１、２）を含むことと、減衰装置は２つの筒状の同軸に配置されたユニット（２、９）を含むことと、テレスコープ機能の内筒部品（２）は減衰装置の外側同軸ユニット（２）をも構成するという点で二重機能を有することとを特徴とする、請求項１記載のテレスコピックフォークレッグ。
【請求項９】
それぞれの一方向弁機能は、例えば、室とフレームまたは、ブリードニードル機能を含む構造部品との間でほぼ径方向に延在するダクトに配設された一方向弁を含むことを特徴とする、請求項６〜８のいずれかに記載のテレスコピックフォークレッグ。
【請求項１０】
好ましくはそれぞれのレッグの外部から調整可能であるように構成された１つ以上のリークフロー経路を伴いそれぞれ動作する、少なくとも２本のレッグを有するテレスコピックフロントフォークの一部を成すことを特徴とする、請求項９記載のテレスコピックフォークレッグ。
【請求項１１】
リークフロー経路は、ピストン速度に拘わらず開放されており、減衰作用部材がピストンの貫通通路を閉鎖した時に前記値を下回る低速度時に主にその減衰機能を生じることを特徴とする、請求項１〜１０のいずれかに記載のテレスコピックフォークレッグ。
【発明の詳細な説明】
【技術分野】
【０００１】
本発明は、車両、好ましくは自動二輪車のためのテレスコピックフォークレッグに関する。テレスコピックフォークレッグは、相互に変位可能な内筒および外筒部品ならびに筒部品の相対運動を減衰するための減衰装置を含む。減衰装置は、筒状の同軸に配置されたユニットおよび、第１の外筒部品に属し、減衰装置の筒状ユニットの内部内の室において室に存在する媒体中で動作するピストン（主ピストン）を備えており、その媒体は、ピストンの速度に依存してかまたは特定の値を上回るピストン速度時に、ピストンの頂部側および底部側の間で、通路および、例えばピストンの側面の傍らの例えばシムといった減衰作用部材を経て、および／またはピストンの通路および減衰作用部材を通過する。前記速度または値は、前記減衰作用部材により選定され、それらは、当該部材の選択または設定に依存してそれらの完全に閉鎖した位置にまたはそこから作動され得る。自動二輪車に代わるものは、スクーター、水上輸送車両などである。媒体としては、可能な添加物を伴う作動油、ガスなどが利用され得る。本発明は主に、加圧テレスコピックフロントフォークと関連した使用を意図されている。
【背景技術】
【０００２】
類似のテレスコピックフロントフォークは従来、それ自体既知であり、本発明は、とりわけ、本特許出願の出願人によって一般市場で販売される加圧テレスコピックフロントフォークにおいて利用され得る。また、そのようなフロントフォーク装置については、前記出願人によって取得された特許文献１を参照することができる。
【０００３】
この特定の種類のテレスコピックフォーク装置においては、テレスコピック部品またはテレスコピックチューブ間に低速度時に存在すべきリークフローまたはブリード機能装置を設けることができる必要性が生じているが、該テレスコピック部品又はテレスコピックチューブによれば、既知の態様で、当該の車両車輪（車両前輪）、ランナー、ポンツーンなどに第１のテレスコピック部品またはテレスコピックチューブによって連結されるかまたは支持し、第２のテレスコピック部品または第２のテレスコピックチューブによって車両シャシに連結される。リークフローまたはブリード機能は、例えば０をわずかに超え約０．１メートル／秒までの速度といったテレスコピック部品間の低相対速度時に減衰力を低減させると推測される。リークフロー機能は、車両が平坦でない地表上を走る場合に、車両車輪または等価物が、相対的に低いかまたは低速度時に車輪と車両との間で本質的に不減衰となることを可能にする。
【０００４】
前記リークフロー機能がテレスコピックフォークに関して適用され利用される場合、その構成は、固有のリークフロー機能に拘わらず、従来の構成要素により、かつそうしたものとしてのテレスコピックフォークレッグの著しい再構成を伴うことなく、実施される必要がある。例えば、テレスコピックチューブおよび減衰装置に属する構成要素を二重用途にさせたいという願望が存在し得る。また、リークフロー機能が、それが容易に調整可能であるように構成され得ることも必須であり、その場合、設定装置は２つ以上のテレスコピックフロントフォークレッグに関して個別的または連係した設定を実現できなければならない。
【０００５】
また、リークフロー機能がレッグの圧縮および／または伸張運動時に存在するように、かつ、リークフローが両方向で存在する場合、一方の方向のリークフロー機能が他方の方向のリークフロー機能に影響を及ぼさず、その逆も同様であるように、テレスコピックレッグを実現できることも必須である。
【特許文献１】スウェーデン国特許第５１４７５５号明細書
【発明の開示】
【発明が解決しようとする課題】
【０００６】
本発明の目的は、特に、上述した課題の一部または全部を解決することである。
【課題を解決するための手段】
【０００７】
本発明に従ったテレスコピックフォークレッグは主に、前記値を下回るピストン速度時に、ピストンの一方側の前記室から、内部筒状ユニットの外側と減衰装置の内部ユニットの外側に配置された第２の筒状ユニットの内部との間の隙間、および１つ以上のリークフローサイズ決定部材を経て、ピストンの他方側の室へ戻り到る、１つ以上のリークフロー通路またはリークフロー経路が存在すること、すなわち、通路または経路が、減衰作用部材がピストンを通る通路を閉鎖した時にピストンの側部を通りまたはそれに通じるということが、特徴であるとみなされ得る。さらなる特徴は、前記部材が調整可能であるように構成されていることである。
【０００８】
本発明の概念の改良において、筒部品の圧縮の方向で、第１のリークフロー経路が、第１の一方向弁機能および第１のリークフロー決定部材によって確立可能であり得る。さらに、筒部品の伸張の方向で、第２のリークフロー経路が、第２の一方向弁機能および第２のリークフロー決定第２部材によって確立可能であり得る。この場合、調整は、第１および第２のリークフローがサイズに関して互いにほぼ一致するかまたは、異なるサイズを有するように実行され得る。前記リークフローサイズ決定部材は、レッグの外部から調整可能であるように構成されている、調整可能ブリードニードル機能を備えることができる。また、前記内筒部品は、減衰装置における前記筒状の第２のユニットとして機能し、それによって強度確立機能およびリークフロー誘導機能の両方を伴い動作することによって、二重機能を有することができる。そうしたものとしてレッグは、テレスコピックフロントフォークの一部を成すことができ、それらのうちの２本のレッグは、ほぼ類似の構成および動作を有することができる。従って、それぞれのレッグは、１つ以上の調整可能に配置されたリークフロー経路を備えて動作することができ、その調整は特定のレッグの外部から行うことができる。
【０００９】
本発明の概念のさらなる改良は、以下の従属請求項から導き出される。
【００１０】
上に提起したことの結果として、新しい機能は、既存のフロントフォーク設計と容易に統合され得る。構成要素の前記二重使用は、例えば、テレスコピックフォークチューブを、強度発生部材およびリークフロー誘導部材の両方として利用されている実際のテレスコピック機能に関係させることができる。従来の一方向弁機能が利用され得る。弁機能は、１実施形態において圧力方向制御されるが、原理的に、例えばコンピュータ制御など、別様に制御され得る。リークフロー経路の結果として、ピストン側部間での媒体の移動は、シムまたは等価物がピストンを通る通路を閉鎖した時の相対的に低ピストン速度時にも保証され得る。リークフローはまた、弁で調整可能であるように構成されており、設定機能により、小さいピストン運動に関してテレスコピックフォークに小さいかまたは低い減衰力を割り当てることが可能である。
【００１１】
本発明に従ったテレスコピックフォークレッグの本明細書で提起した実施形態を、添付図面を同時に参照して以下に説明する。
【発明を実施するための最良の形態】
【００１２】
本発明は、基本的に既知である構成を有するテレスコピックフォークレッグにおけるその使用に関連して以下に説明する。基本構成は、ここで概略でのみ説明される。図１Ａおよび１Ｂは、テレスコピックレッグの後述する構成原理を示すために組み合わせられ得る。レッグの一部を成す、ブッシングを備える外筒が１で表示されている。２は内筒を表示し、３はボトムピースを表示している。レッグの一部を成すばねは４によって表示され、レッグは、ばねの偏りを設定するための調整部材５を含む。ピストンロッドは６によって表示され、ピストンホルダは７によって表示されている。テレスコピックレッグの主ピストンは、８によって例示されている。ピストンは、１つ以上の通路８ａおよび、後者の側面に配置されたシムが既知の態様で設けられており、圧縮シムのスタックが８ｂによって表示され、戻りまたは伸張シムのスタックが８ｃによって表示されている。レッグは、減衰システムを備えており、その内筒は９によって表示されている。ピストンロッドと減衰システムの内筒との間でシールする内部シールアセンブリが、１０で表示されている。減衰システムの内筒と減衰システムの外筒との間でシールする外部シールアセンブリが、１１によって表示されている。１２はバルブハウジングを表示し、１３は、前記ピストン（主ピストン）のまわりでの圧縮リークフローだけによって開弁され得る一方向弁を表示する。ピストンのまわりの圧縮リークフローを調整するためのニードルおよびノズルが、１４によって表示されている。主ピストンのまわりでの戻りリークフローだけによって開弁され得る一方向弁が１５で表示されている。主ピストンのまわりでの戻りリークフローを調整するニードルおよびノズルが、１６によって表示されている。ピストンロッド変位の圧縮流れによってのみ動作可能な圧縮シムスタックを備えるピストンが、１７によって表示されている。ピストンロッド変位のピストン１７のまわりでの圧縮リークフローを調整するためのニードルおよびノズルが１８によって表示されている。１９は、それ自体既知である形式のガスタンクを表示している。これらおよび指定されていない他の構成要素の構成および機能の一部は、本質的に既知であるとしてよい。
【００１３】
図２および３は、レッグの圧縮および伸張の方向において作動している第１の一方向弁１３および第１のブリードニードル１４ならびに第２の一方向弁１５および第２のブリードニードルを図示している。
【００１４】
図４によれば、ピストン８（主ピストン）は、フロントフォークの内部筒状ユニット２の室２０’、２０”において動作する。室部分２０’はピストンの上方に位置し、室部分２０”はピストンの下方に位置する。フォークについての上下方向は、フォークの記載された動作にとっていかなる本質的な重要性もない。ピストン８は、室２０’、２０”に存在する媒体中で動作し、その媒体は２１で象徴されており、既知の種類の可能な添加物を伴う作動油によって構成され得る。特定のピストン速度値を上回るピストンの動きの場合には、すなわちテレスコピックレッグの内筒部品１と外筒部品２との間の相対運動時に、媒体は、ピストンの凹部８ａ’および８ａ”、および減衰作用部材８ｂ、８ｃ、すなわち例示実施形態におけるシムを経て通過する。シムの数または堅さによって決定され得る前記値を下回るピストン速度時に、媒体は、なかんずくピストンロッド６およびピストンホルダ７の外側６ａおよび７ｂとユニット／筒９”の内面との間に延在するリークフロー経路を通じてピストンの両側間で移動させられる。後者のユニット／筒または減衰システムの内筒９は側面凹部９ａおよび９ｂを備えており、それらを通じてリークフロー経路は延在する。ユニット９と筒部品２の内面との間に隙間２４が配設されており、そこにもまたリークフロー経路が延在する。隙間は、例示実施形態ではボトムピース３のほぼ径方向の凹部２５および２６によって、ブリードニードル１４および１６によってそれぞれ構成されるそれぞれのリークフローサイズ決定部材の一方側に接続されている。記載された例示実施形態において、第１のリークフロー経路２２が圧縮の方向、すなわち、筒部品を互いに向けて押圧するテレスコピックレッグの筒部品に関するその方向に存在する。第１のリークフロー経路は、塗りつぶし矢印（ｆｉｌｌｅｄ  ａｒｒｏｗ）によって指示されている。第２のリークフロー経路２３は、白抜き矢印（ｏｐｅｎ  ａｒｒｏｗ）で指示され、筒部品間の伸張方向または戻り方向に帰せられる。それぞれのブリードニードルおよびその関係する座面の他方側は、ボトムピースのほぼ径方向のダクト２７および２８と接続されている。前記ダクトは、リークフロー通路を１つの方向だけで完全にまたは主として許し、例示実施形態では一方向弁１３および１５より構成される部材を含む。前記リークフロー経路はまた、シムまたは等価物が作動しそれらの減衰作用を発揮するピストン速度で開放される。この場合、リークフローのサイズは、極めて小さいかまたは小さく、シムまたは等価物によってもたらされる減衰機能にほとんど影響を及ぼさない。
【００１５】
従って、第１のリークフロー経路２２は、圧縮に関して、ピストンの底部側の部分室２０”、径方向凹部２５から、ブリードニードルの底部側１４ａへ、ブリードニードル座面またはブリードニードルの上部側１４ｂ、一方向弁１３、径方向凹部２７、隙間２４および側面凹部９ａを経て、部分室２０’に向かうように構成される。
【００１６】
第２のリークフロー経路２３は、伸張に関して、部分室２０’から、凹部９ｂ、隙間２４、凹部２６、上部側１６ａおよびブリードニードル１６を経て、底部側１６ｂへ、さらに一方向弁１５および径方向凹部２８を経て構成され、そこから第２のリークフロー経路２３はピストンの下方の部分室２０”に到る。
【００１７】
一方向弁１３および１５の配置は、圧縮リークフローが伸張リークフローに影響を及ぼすことを防ぎ、その逆も同様であることを意味する。
【００１８】
リークフローに作用する部材は、調整可能であるように構成されている。例示実施形態において、前記ブリードニードルには設定部材が調整可能に設けられており、それらは例示実施形態ではねじ頭設定装置１４ｃおよび１６ｃによって構成されている。図４に従った例示実施形態において、ブリードニードル装置は、中心軸２９に沿ってテレスコピックレッグの縦方向とほぼ平行に延びている。設定部材の作用は、ブリードニードルの座面に対するブリードニードルの縦方向変位位置の、それ故にリークフローのサイズの調整または設定をもたらす。
【００１９】
一方向弁１３および１５は、ばねおよびスリーブ状シール部品、玉およびばね、コンピュータ制御要素などを備え得る。
【００２０】
図５には、調整および設定部材ならびにブリードニードル１６が、例示実施形態においてテレスコピックレッグの縦軸または中心軸２９にほぼ直角に配設されている装置が図示されている。一方向弁１５’の位置もまた図から明白である。この例示実施形態において、バルブハウジングは１２’によって指示されている。弁の位置は、本質的に減衰システムの動作に影響しない。
【００２１】
図１Ａにおいて、シャシおよび部分的に図示された別のフォークレッグ３０へのレッグ１の適用を見ることができ、別のフォークレッグは、例示実施形態においてレッグ１とともに、車両（自動二輪車）の前輪のためのフォーク装置の一部を成す。シャシは表記３１を有し、前輪は３２を有する。シャシへの取付は外筒によって実現され、車輪は内筒２に固定される。車輪は、ボトムピースの取付点３３に固定される。テレスコピックフォーク内の２本のフォークレッグは、同一に構成され得る。それぞれのフォークレッグはここで、圧縮および／または戻り方向でリークフロー装置が備えられ得る。それぞれのレッグは、別個にまたは連係して調整可能であり得る。
【００２２】
本発明は、上述の実施形態に限定されず、特許請求の範囲または本発明の概念の範囲内で修正を受けることができる。
【図面の簡単な説明】
【００２３】
【図１Ａ】さらなるテレスコピックレッグと一緒に、例えば自動二輪車シャシといったシャシに装着されたフォーク装置の一部を成すテレスコピックレッグを、象徴的に示された車輪（前輪）とともに、縦断面において示す。
【図１Ｂ】さらなるテレスコピックレッグと一緒に、例えば自動二輪車シャシといったシャシに装着されたフォーク装置の一部を成すテレスコピックレッグを、象徴的に示された車輪（前輪）とともに、縦断面において示す。
【図２】フロントフォークの圧縮の方向で作動する第１の一方向弁および第１のリークフロー決定部材を縦断面において示す。
【図３】フロントフォークの伸張の方向で作動する第２の一方向弁および第２のリークフロー決定部材を縦断面において示す。
【図４】リークフロー経路が減衰装置のピストン（主ピストン）およびリークフローサイズ決定部材に隣接して確立可能である、図１の部分を縦断面で示す。
【図５】図２に従った対応部材の適用とは異なるリークフローサイズ決定部材の適用を断面で示す。
【符号の説明】
【００２４】
１  レッグ
１  内筒部品
２  外筒部品
３  ボトムピース
４  ばね
５  調整部材
６  ピストンロッド
７  ピストンホルダ
８  ピストン
８ａ  通路
８ａ’  凹部
８ｂ、８ｃ  減衰作用部材
９  ユニット内筒
９”  ユニット／筒
９ａ  側面凹部
９ｂ、  凹部
１０  内部シールアセンブリ
１１  外部シールアセンブリ
１２，１２’  バルブハウジング
１３  一方向弁
１４  ブリードニードル
１４ａ  底部側
１４ｂ  上部側
１４ｃ、１６ｃ  頭設定装置
１５  一方向弁
１６  ブリードニードル
１７  ピストン
１９  ガスタンク
２０’、２０”  室
２２  リークフロー経路
２３  リークフロー経路
２４  隙間
２５  凹部
２６  凹部
２７  ダクト
２８  径方向凹部
２９  中心軸
３０  フォークレッグ
３１  シャシ
３２  前輪
３３  ボトムピースの取付点
【図１Ａ】
2005271913.tif 000003
【図１Ｂ】
2005271913.tif 000004
【図２】
2005271913.tif 000005
【図３】
2005271913.tif 000006
【図４】
2005271913.tif 000007
【図５】
2005271913.tif 000008
【外国語明細書】
2005271913.tif 000009
2005271913.tif 000010
2005271913.tif 000011
2005271913.tif 000012
2005271913.tif 000013
2005271913.tif 000014
2005271913.tif 000015
2005271913.tif 000016
2005271913.tif 000017
2005271913.tif 000018
2005271913.tif 000019
2005271913.tif 000020
2005271913.tif 000021
2005271913.tif 000022
2005271913.tif 000023
2005271913.tif 000024
2005271913.tif 000025
2005271913.tif 000026
2005271913.tif 000027
2005271913.tif 000028